(57)【要約】【課題】挿着受部の内側が透ける程に薄肉に形成したキャップ本体であっても、挿着した円環部材の挿着部が影のように透けてしまうことのない筆記具用キャップとすることを目的とする。【解決手段】キャップ本体における円環部材が挿着される箇所である挿着受部を、キャップ本体に円環部材を挿着した状態でキャップ本体の内面と円環部材の内面とが一致するよう薄肉に形成し、且つキャップ本体に挿着する円環部材の挿着部とキャップ本体の挿着受部との間にキャップ本体の色と同色である接着剤を介在させて、キャップ本体と円環部材とを固着したことを特徴とする筆記具用キャップ。【選択図】図２
2008173840.tif 000002
【特許請求の範囲】
【請求項１】
色付きの樹脂材からなるキャップ本体の開口部に、前記キャップ本体の色と異なる円環部材を挿着して成す筆記具用キャップにおいて、前記キャップ本体における前記円環部材が挿着される箇所である挿着受部を、該キャップ本体に該円環部材を挿着した状態で当該キャップ本体の内面と当該円環部材の内面とが一致するよう薄肉に形成し、且つ前記キャップ本体に挿着する円環部材の挿着部と該キャップ本体の挿着受部との間に当該キャップ本体の色と同色である接着剤を介在させて、前記キャップ本体と前記円環部材とを固着したことを特徴とする筆記具用キャップ。
【請求項２】
前記円環部材の挿着部の円周上に、接着剤を溜める溝部を設けてあることを特徴とする請求項１に記載の筆記具用キャップ。
【発明の詳細な説明】
【技術分野】
【０００１】
本発明は、筆記具用キャップに関し、さらに詳しくは、色付きの樹脂材からなるキャップ本体の開口部に、前記キャップ本体の色と異なる円環部材を挿着して成す構造の筆記具用キャップに関する。
【背景技術】
【０００２】
射出成形による樹脂材で形成された筆記具用キャップは一般的であり、そのキャップ本体の開口部に金輪等の円環部材を付設して装飾性の向上や当該開口部の強度向上を図ったものもよく知られている。この円環部材は、キャップ本体から筆記具を抜き差しをする際に脱落し難くするために、螺子止めや圧入等でキャップ本体に対して固定してある。さらにキャップ本体と円環部材とを強固に固着させる方法として、実開昭６３−４７１８６号公報に開示されているように接着剤を用いる固着方法が、キャップ本体と円環部材との接合に採用される場合もある。
【特許文献１】「実開昭６３−４７１８６号公報」
【発明の開示】
【発明が解決しようとする課題】
【０００３】
ところで、キャップ本体の開口部に金輪等の円環部材を付設する場合には、筆記具の抜き差しに支障がないように、円環部材の内面とキャップ本体の内面とを一致させた方がよく、キャップ本体の内面を薄肉に形成して、そこに円環部材を挿着することが多い。しかしこのような方法では、特にキャップ本体が白やアイボリー等の淡色の樹脂材からなる際に、キャップ本体の薄肉に形成した箇所が透けてしまい、その内側に位置する円環部材の挿着部が、前記キャップ本体の色と異なる時に、その円環部材の挿着部が影のように透けてしまうという問題があった。また、キャップ本体に対する円環部材の接着強度を確かなものとするために、円環部材の挿着部の円周上に接着剤を溜める溝部を形成する場合もあるが、この構造では、キャップ本体の薄肉の箇所から溝部による複数の筋が透けて、さらに見栄えが悪くなるという問題があった。
【０００４】
本発明はこうした問題を鑑みて、挿着受部の内側が透ける程に薄肉に形成したキャップ本体であっても、挿着した円環部材の挿着部が影のように透けてしまうことのない筆記具用キャップとすることを目的とする。
【課題を解決するための手段】
【０００５】
本発明は、
「１．色付きの樹脂材からなるキャップ本体の開口部に、前記キャップ本体の色と異なる円環部材を挿着して成す筆記具用キャップにおいて、前記キャップ本体における前記円環部材が挿着される箇所である挿着受部を、該キャップ本体に該円環部材を挿着した状態で当該キャップ本体の内面と当該円環部材の内面とが一致するよう薄肉に形成し、且つ前記キャップ本体に挿着する円環部材の挿着部と該キャップ本体の挿着受部との間に当該キャップ本体の色と同色である接着剤を介在させて、前記キャップ本体と前記円環部材とを固着したことを特徴とする筆記具用キャップ。
２．前記円環部材の挿着部の円周上に、接着剤を溜める溝部を設けてあることを特徴とする１項に記載の筆記具用キャップ。」
である。
【発明の効果】
【０００６】
本発明では、外部からキャップ本体の挿着受部に進入した光が、キャップ本体と同色である接着剤の色を反射するため、円環部材が影のようにキャップ本体から透けることを防げる。
【発明を実施するための最良の形態】
【０００７】
次に図面を参照しながら、本発明の筆記具用キャップの実施例を説明するが、本発明は以下の実施例に限定されるものではない。また図中の同じ部材、同じ部品については、同じ符号としてある。
【０００８】
図１は本発明の実施例である筆記具用キャップを用いたキャップ付き万年筆の図である。キャップ付き万年筆１は先端にペン先２を有する万年筆３とキャップ４とからなり、万年筆３を構成する軸筒本体３０の前方部３１に対してキャップ４を着脱自在としてある。またキャップ４の側面にはクリップ５を配し、上端には頭冠６を配してある。またキャップ本体４０の開口部４１側には、円環部材である金輪７を装着してある。本実施例におけるキャップ本体４０は射出成形により形成した白色の樹脂材からなり、金輪７は真鍮にクロームメッキを施したものである。
【０００９】
図２は本実施例のキャップの断面図である。キャップ４は、キャップ本体４０の内部に中子８を備えており、中子８の上部に形成した雌螺子部８ａに前記頭冠６の下方に形成した雄螺子部６ａを螺合させて固定すると共に、前記クリップ５の脚部５ａを頭冠６のフランジ部６ｂとキャップ本体４０の上端部４２との間に挟持して固定してある。尚、中子８は、図１に示した軸筒本体３０の前方部３１に当接して機密性を確保する。また金輪７は、キャップ本体４０の開口部４１側の内面を薄肉に形成した挿着受部４１ａに挿着部７ａを挿し込み、金輪７の外面の下方に形成したフランジ部７ｂをキャップ本体４０の下面に当接させている。この状態でキャップ本体４０の内面と金輪７の内面とは一致する。
【００１０】
次にキャップ本体４０に金輪７を固着する際の説明を行う。図３は本実施例の組立時の要部拡大断面図である。本実施例ではキャップ本体４０の挿着受部４１ａに白色の接着剤９を塗布して金輪７の挿着部７ａを挿し込むことで、キャップ本体４０の挿着受部４１ａと金輪７の取付部７ａとの間に接着剤９を行き渡らせて固着した。尚、本実施例では取付部７ａの円周上に２筋の溝部７ｃを設け、ここに接着剤９を多く溜めて接着を確実なものとした。
【００１１】
図４は本実施例と比較例の図であり、図４Ａが本実施例の要部拡大図で、図４Ｂが比較例の要部拡大図である。図４Ａに示すように本実施例のキャップ４は、キャップ本体４０に対して金輪７がキャップ本体４０の色と同じ白色の接着剤（図示せず）で接着されていることから、白色の接着剤が金輪７の挿着部７ａの透けを防ぎ、また接着剤自体の白色をキャップ本体４０の表面側に反射することから、金輪７が影として挿着受部４１ａから透けてしまうことがなかった。これに対し図４Ｂに示す比較例のキャップ１４は、キャップ本体４０に対して金輪７が透明の接着剤（図示せず）で接着されていることから、キャップ本体４０の挿着部４１ａからクロームメッキされた金輪７の取付部７ａが黒く透けてしまった。
【産業上の利用可能性】
【００１２】
本願発明による筆記具用キャップは、筆記具のキャップ以外にも、化粧具や塗布具等のキャップ構造として使用することも可能である。
【図面の簡単な説明】
【００１３】
【図１】本発明の実施例である筆記具用キャップを用いたキャップ付き万年筆の図である。
【図２】本実施例のキャップの断面図である。
【図３】本実施例の組立時の要部拡大断面図である。
【図４】本実施例と比較例の図であり、図４Ａが本実施例の要部拡大図で、図４Ｂが比較例の要部拡大図である。
【符号の説明】
【００１４】
１…キャップ付き万年筆、２…ペン先、
３…万年筆、３０…軸筒本体、３１…前方部、
４…キャップ、
４０…キャップ本体、４１…開口部、４１ａ…挿着受部、４２…上端部、
５…クリップ、５ａ…脚部、
６…頭冠、６ａ…雄螺子部、６ｂ…フランジ部、
７…金輪、７ａ…挿着部、７ｂ…フランジ部、７ｃ…溝部、
８…中子、８ａ…雌螺子部、
９…接着剤。
【図１】
2008173840.tif 000003
【図２】
2008173840.tif 000004
【図３】
2008173840.tif 000005
【図４】
2008173840.tif 000006